(57)【要約】  位置検出サービスを実現する方法、システムおよびコネクティビティ・サービス・ネットワーク（ＣＳＮ）を提供する。前記方法は、クライアントによって送信された位置検出要求を、ホーム・ドメイン・コネクティビティ・サービス・ネットワーク（Ｈ−ＣＳＮ）によって、受信し、前記位置検出要求の認証が成功した後、訪問先ドメイン・コネクティビティ・サービス・ネットワーク（Ｖ−ＣＳＮ）に前記位置検出要求を送信し、訪問先ドメイン・コネクティビティ・サービス・ネットワークによって戻された位置検出結果を受信し、前記クライアントに位置検出結果を送信する。前記位置検出結果は、Ｖ−ＣＳＮが訪問先ドメイン・アクセス・サービス・ネットワーク（Ｖ−ＡＳＮ）に位置検出要求を送信した後、Ｖ−ＡＳＮを動作させることによって位置検出測定から取得される情報である。ユーザ端末が訪問先ドメイン・ネットワークから訪問先ドメイン・ネットワークをローミングする場合、位置検出要求を受信した後、Ｈ−ＣＳＮとＶ−ＣＳＮとは相互に通信し、Ｈ−ＣＳＮは、Ｖ−ＡＳＮを介して、Ｖ−ＣＳＮによって動作させられる位置検出制御によって位置検出結果を取得する。これにより、ホーム・ドメイン・ネットワークからユーザ端末の位置検出を実現し、ホーム・ドメイン・ネットワークの位置検出サービスの適用を拡張することができる。
2011519212.tif 000002
【特許請求の範囲】
【請求項１】
クライアントによって送信された位置検出要求をホーム・ドメイン・コネクティビティ・サービス・ネットワーク（Ｈ−ＣＳＮ）によって受信し、
前記位置検出要求の認証が成功した後、訪問先ドメイン・コネクティビティ・サービス・ネットワーク（Ｖ−ＣＳＮ）に該位置検出要求を送信し、
前記訪問先ドメイン・コネクティビティ・サービス・ネットワークによって戻された位置検出結果を受信し、
前記位置検出結果は、前記訪問先ドメイン・コネクティビティ・サービス・ネットワークが訪問先ドメイン・アクセス・サービス・ネットワーク（Ｖ−ＡＳＮ）に前記位置検出要求を送信した後、該訪問先ドメイン・アクセス・サービス・ネットワークを動作させることによって位置検出測定から取得される情報であり、
前記クライアントに前記位置検出結果を送信する、
位置検出サービスを実現する方法。
【請求項２】
前記クライアントによって送信された前記位置検出要求を前記ホーム・ドメイン・コネクティビティ・サービス・ネットワークによって受信した後、
位置検出機能情報にしたがって、前記位置検出要求が満足されるか否かを前記ホーム・ドメイン・コネクティビティ・サービスによって判断し、
前記位置検出要求が満足される場合、該位置検出要求を認証し、
前記位置検出要求が満足されない場合、前記位置検出の失敗を戻す、
ことをさらに含み、
ユーザ端末が前記訪問先ドメイン・アクセス・サービス・ネットワークにアクセスしたとき、もしくは、該訪問先ドメイン・アクセス・ネットワークが動作したとき、前記ホーム・ドメイン・コネクティビティ・サービスは前記位置検出機能情報を取得し、
前記位置検出機能情報は、前記ユーザ端末の位置検出機能、前記訪問先ドメイン・アクセス・サービス・ネットワークの位置検出機能、前記訪問先ドメイン・コネクティビティ・サービス・ネットワークの位置検出機能、の少なくとも一つを含む、
請求項１に記載の方法。
【請求項３】
前記訪問先ドメイン・コネクティビティ・サービス・ネットワークに前記位置検出要求を送信することは、
前記ホーム・コネクティビティ・サービス・ネットワークのホーム・ドメイン位置検出サーバ（Ｈ−ＬＳ）によって、前記訪問先ドメイン・コネクティビティ・サービス・ネットワークの機能エンティティに前記位置検出要求を送信すること、もしくは、
ホーム・ドメイン認証・認可・アカウンティング（Ｈ−ＡＡＡ）サーバをとおして、前記訪問先ドメイン・コネクティビティ・サービス・ネットワークの前記機能エンティティに、前記ホーム・ドメイン・コネクティビティ・サービス・ネットワークのホーム・ドメイン位置検出サーバによって、前記位置検出要求を送出すること、
を含み、
前記機能エンティティは訪問先ドメイン位置検出サーバ（Ｖ−ＬＳ）もしくは訪問先ドメイン認証・認可・アカウンティング（Ｖ−ＡＡＡ）サーバを含む、
請求項１に記載の方法。
【請求項４】
前記訪問先ドメイン・コネクティビティ・サービス・ネットワークによって、前記訪問先ドメイン・アクセス・サービス・ネットワークに前記位置検出要求を送信することは、
前記訪問先ドメイン・アクセス・サービス・ネットワークの認証手段から前記訪問先ドメイン・アクセス・サービス・ネットワークの訪問先ドメイン位置検出コントローラ（Ｖ−ＬＣ）の識別を前記訪問先ドメイン・コネクティビティ・サービス・ネットワークの訪問先ドメイン位置検出サーバによって取得し、該訪問先ドメイン位置検出コントローラの識別にしたがって、該訪問先ドメイン位置検出コントローラに前記位置検出要求を送信すること、もしくは、
前記訪問先ドメイン・コネクティビティ・サービス・ネットワークの訪問先ドメイン認証・認可・アカウンティング・サーバおよび前記訪問先ドメイン・アクセス・サービス・ネットワークの認証手段をとおして前記訪問先位置検出コントローラに前記位置検出要求を前記訪問先ドメイン・コネクティビティ・サービス・ネットワークの位置検出サーバによって送信すること、
を含む、
請求項１に記載の方法。
【請求項５】
前記訪問先ドメイン・認証・認可・アカウンティング・サーバによって前記位置検出要求をローカルに認証し、
認証に成功した場合、前記訪問先ドメイン位置検出コントローラに前記位置検出要求を送信し、
認証に失敗した場合、認証失敗を戻す、
ことをさらに含む、請求項４に記載の方法。
【請求項６】
前記訪問先ドメイン・コネクティビティ・サービス・ネットワークによって戻される前記位置検出結果を受信することは、
前記訪問先ドメイン・コネクティビティ・サービス・ネットワークの機能エンティティによって戻された前記位置検出結果を、前記ホーム・コネクティビティ・サービス・ネットワークのホーム・ドメイン位置検出サーバによって受信すること、もしくは、
ホーム・ドメインの認証・認可・アカウンティング・サーバをとおして訪問先コネクティビティ・サービス・ネットワークの機能エンティティによって戻される前記位置検出結果をホーム・ドメイン・コネクティビティ・サービス・ネットワークのホーム・ドメイン位置検出サーバによって受信すること、
を含み、
前記機能エンティティは、訪問先ドメイン位置検出サーバもしくは訪問先ドメインの認証・認可・アカウンティング・サーバである、
請求項１に記載の方法。
【請求項７】
前記位置検出要求は周期的な位置検出を要求するものであり、
前記訪問先ドメイン・コネクティビティ・サービス・ネットワークによって戻された前記位置検出結果を受信することは、
前記位置検出要求の周期にしたがって、前記訪問先ドメイン・コネクティビティ・サービス・ネットワークによって戻される位置検出結果を受信すること、
を含み、
前記位置検出結果は、周期的位置検出要求を受信した後、前記周期にしたがって位置検出測定を実行することによって、前記訪問先ドメイン・アクセス・サービス・ネットワークによって取得される情報であり、
前記訪問先ドメイン・コネクティビティ・サービス・ネットワークに位置検出終了要求を送信する、
ことをさらに含み、
前記位置検出終了要求は、前記訪問先ドメイン・コネクティビティ・サービス・ネットワークによって送出された位置検出終了要求を前記訪問先ドメイン・アクセス・サービス・ネットワークが受信した後、前記位置検出測定を終了するために、前記訪問先ドメイン・アクセス・サービス・ネットワークに使用される、
請求項１に記載の方法。
【請求項８】
受信したアカウンティング更新要求にしたがって、前記位置検出要求に課金すること、をさらに含む、請求項１に記載の方法。
【請求項９】
ホーム・ドメイン・コネクティビティ・サービス・ネットワーク（Ｈ−ＣＳＮ）、訪問先ドメイン・コネクティビティ・サービス・ネットワーク（Ｖ−ＣＳＮ）、訪問先ドメイン・アクセス・サービス・ネットワーク（Ｖ−ＡＳＮ）を含む、位置検出サービスを実現するシステムであって、
ホーム・ドメイン・コネクティビティ・サービス・ネットワークは、クライアントによって送信された位置検出要求を受信し、位置検出要求の認証が成功した後に訪問先ドメイン・コネクティビティ・サービス・ネットワークに位置検出要求を送信し、訪問先ドメイン・コネクティビティ・サービス・ネットワークによって戻された位置検出要求を受信し、該クライアントに該位置検出結果を送信するように構成されており、
前記訪問先ドメイン・コネクティビティ・サービス・ネットワークは、訪問先ドメイン・アクセス・サービス・ネットワークに前記位置検出要求を送信し、前記訪問先ドメイン・アクセス・サービス・ネットワークによって戻される位置検出結果を受信するように構成されており、
前記訪問先ドメイン・アクセス・サービス・ネットワークは、前記訪問先ドメイン・コネクティビティ・サービス・ネットワークによって送信される位置検出要求にしたがって位置検出測定を動作させた後、位置検出結果を取得し、前記訪問先ドメイン・コネクティビティ・サービス・ネットワークに該位置検出結果を送信するように構成されている、
システム。
【請求項１０】
ユーザ端末が属するホーム・ドメイン・コネクティビティ・サービス・ネットワーク（Ｈ−ＣＳＮ）であるコネクティビティ・サービス・ネットワーク（ＣＳＮ）であって、
クライアントによって送信される位置検出要求を受信するように構成されている第一の受信手段と、
前記位置検出要求を認証するように構成されている認証手段と、
前記認証が成功した後、訪問先ドメイン・コネクティビティ・サービス・ネットワーク（Ｖ−ＣＳＮ）に位置検出要求を送信するように構成されている第一の送信手段と、
前記訪問先ドメイン・コネクティビティ・サービス・ネットワークによって戻された位置検出結果を受信するように構成されている第二の受信手段と、
前記クライアントに前記位置検出結果を送信するように構成されている第二の送信手段と、
を備え、
前記位置検出結果は、前記訪問先ドメイン・アクセス・サービス・ネットワークに訪問先ドメイン・コネクティビティ・サービス・ネットワークが位置検出要求を送信した後、訪問先ドメイン・アクセス・サービス・ネットワーク（Ｖ−ＡＳＮ）を動作させることによって位置検出測定から取得される情報である、
コネクティビティ・サービス・ネットワーク。
【請求項１１】
前記ユーザ端末が訪問先ドメイン・アクセス・サービス・ネットワークにアクセスしたとき、もしくは、訪問先ドメイン・アクセス・サービス・ネットワークが動作したとき、位置検出機能情報を取得するように構成されている取得手段と、
前記位置検出機能情報にしたがって、前記位置検出要求が満足されるか否か判断し、該位置検出要求が満足される場合、該位置検出要求を認証するために前記認証手段を動作させ、該位置検出要求が満足されない場合、該位置検出の失敗を戻す、ように構成されている判断手段と、
を備え、
前記位置検出機能情報は、前記ユーザ端末の位置検出機能、前記訪問先ドメイン・アクセス・サービス・ネットワークの位置検出機能、および、前記訪問先ドメイン・コネクティビティ・サービス・ネットワークの位置検出機能の少なくとも一つを含む、
請求項１０に記載のコネクティビティ・サービス・ネットワーク。
【請求項１２】
前記第一の受信手段によって受信された前記位置検出要求は周期的な位置検出を要求するものであり、
前記第二の受信手段は、前記位置検出要求の周期にしたがって、前記訪問先ドメイン・コネクティビティ・サービス・ネットワークによって戻された前記位置検出結果を受信するように構成されており、
前記位置検出結果は、周期的位置検出要求を受信した後、前記周期にしたがって、位置検出測定を実行することにより、訪問先ドメイン・アクセス・サービス・ネットワークによって取得される情報であり、
前記訪問先ドメイン・コネクティビティ・サービス・ネットワークに位置検出終了要求を送信するように構成されている終了手段をさらに備え、
前記位置検出終了要求は、前記訪問先ドメイン・アクセス・サービス・ネットワークが、前記訪問先ドメイン・コネクティビティ・サービス・ネットワークによって送出された位置検出終了要求を受信した後、位置検出測定を終了するために、前記訪問先ドメイン・アクセス・サービス・ネットワークに使用される、
請求項１０に記載のコネクティビティ・サービス・ネットワーク。
【請求項１３】
受信したアカウンティング更新要求にしたがって前記位置検出要求に課金するように構成されているアカウンティング手段、をさらに含む、請求項１０に記載のコネクティビティ・サービス・ネットワーク。
【請求項１４】
ユーザ端末がローミングする訪問先ドメイン・コネクティビティ・サービス・ネットワーク（Ｖ−ＣＳＮ）であるコネクティビティ・サービス・ネットワーク（ＣＳＮ）であって、
ホーム・ドメイン・コネクティビティ・サービス・ネットワーク（Ｈ−ＣＳＮ）によって送信される位置検出要求を受信するように構成されている第一の受信手段と、
訪問先ドメイン・アクセス・サービス・ネットワーク（Ｖ−ＡＳＮ）に前記位置検出要求を送信するように構成されている第一の送信手段と、
前記訪問先ドメイン・アクセス・サービス・ネットワークによって戻される位置検出結果を受信するように構成されている第二の受信手段と、
前記ホーム・ドメイン・コネクティビティ・サービス・ネットワークに前記位置検出結果を送信するように構成されている第二の送信手段と、
を備え、
前記位置検出結果は、前記位置検出要求にしたがって、訪問先ドメイン・アクセス・サービス・ネットワークが位置検出測定を動作させた後、取得される情報である、
コネクティビティ・サービス・ネットワーク。
【請求項１５】
前記第一の送信手段は、
前記訪問先ドメイン・アクセス・サービス・ネットワークの認証手段から前記訪問先ドメイン・アクセス・サービス・ネットワークの訪問先ドメイン位置検出コントローラ（Ｖ−ＬＣ）の識別を、訪問先ドメイン位置検出サーバ（Ｖ−ＬＳ）をとおして取得するように構成されている識別取得手段と、
前記訪問先ドメイン位置検出コントローラの識別にしたがって、訪問先ドメイン位置検出コントローラに前記位置検出要求を送信するように構成されている要求送信手段と、
を備える、
請求項１４に記載のコネクティビティ・サービス・ネットワーク。
【請求項１６】
前記位置検出要求をローカルに認証し、認証に成功した場合、その機能を実行するために前記要求送信手段を動作させ、認証に失敗した場合、認証の失敗を戻す、ように構成されている認証手段、をさらに備える、請求項１５に記載のコネクティビティ・サービス・ネットワーク。
【発明の詳細な説明】
【技術分野】
【０００１】
本発明は、通信技術の分野に関し、詳細には、位置検出サービスを実現する方法、システム、および、コネクティビティ・サービス・ネットワーク(ＣＳＮ：Connectivity Service Network)に関する。
【背景技術】
【０００２】
モバイル通信ネットワークにおいて、ユーザの位置検出情報にもとづく付加価値サービス（マップ・ナビゲーション、地域広告など）の需要が増大している。付加価値サービス・プロバイダは、ネットワークによって提供される位置検出情報にしたがってユーザに地域および個人により指向したサービス・コンテンツを提供することができる。上記から、付加価値サービスを実現するために、モバイル通信ネットワークがユーザ端末の位置を検出する機能を要求されていることを知ることができる。
【０００３】
ＷｉＭＡＸ(Worldwide Interoperability for Microwave Access)は、ＬＢＳ（ロケーション・ベース・サービス）アーキテキチャを規定している。ＬＢＳ（ロケーション・ベース・サービス）アーキテクチャは、位置検出情報にもとづくサービスにユーザ（端末）の位置を提供するためのものである。このアーキテクチャは、アクセス・サービス・ネットワーク（ＡＳＮ）を含む。アクセス・サービス・ネットワークは、ＷｉＭＡＸユーザ端末へのワイヤレス・アクセスを提供する機能エンティティのグループであり、複数のＡＳＮ−ＧＷ（アクセス・サービス・ネットワーク・ゲートウェイ）およびベース・ステーション(ＢＳｓ)を含む。ベース・ステーションはモバイル・ステーション（ＭＳｓ）およびＡＳＮ−ＧＷ（アクセス・サービス・ネットワーク・ゲートウェイ）に接続されている。ＡＳＮ−ＧＷ（アクセス・サービス・ネットワーク・ゲートウェイ）はＣＳＮ（コネクティビティ・サービス・ネットワーク）に接続されており、ＣＳＮ（コネクティビティ・サービス・ネットワーク）はユーザにＩＰ接続およびサービスを提供する機能エンティティのグループである。ＣＳＮ（コネクティビティ・サービス・ネットワーク）は位置検出要求を開始する外部クライアント、端末、その他の内部機能エンティティにも接続されている。さらに、ＣＳＮ（コネクティビティ・サービス・ネットワーク）は位置検出サーバ（ＬＳ）を含む。位置検出サーバは、クライアントへネットワーク位置検出機能インタフェースを提供するように構成されており、クライアントによって開始された位置検出要求を受信し、ネットワークのユーザ端末の位置検出情報を取得し、クライアントへ提供する。ＣＳＮ（コネクティビティ・サービス・ネットワーク）はさらに認証、認可およびアカウンティング（ＡＡＡ）・サーバを含む。認証、認可およびアカウンティング・サーバは、ユーザ加入データおよびオペレータ・ポリシーにしたがってサービスを認証する。ＡＳＮ−ＧＷ（アクセス・サービス・ネットワーク・ゲートウェイ）は位置検出コントローラ（ＬＣｓ）を含む。位置検出コントローラはユーザ端末の位置検出情報を取得し、位置検出サーバに該位置検出情報を報告するように構成されている。ベース・ステーションもしくはユーザ端末は位置検出エージェント（ＬＡｓ）を含む。位置検出エージェントは、位置検出コントローラの位置測定命令にしたがってユーザ端末の位置検出情報を測定するように構成されている。
【０００４】
一般に、ユーザ端末が属するネットワークはホーム・ドメイン・ネットワークと呼ばれる。移動しているとき、ユーザ端末はホーム・ドメイン・ネットワークを離れ、訪問先ドメイン・ネットワークに入るかもしれない。図１はＷｉＭＡＸローミング・シナリオにもとづくネットワーク・アーキテクチャを示す。ホーム・ドメイン・ネットワークはＨ−ＣＳＮ（ホーム・ドメイン・コネクティビティ・サービス・ネットワーク（ＣＳＮ））を含み、訪問先ドメイン・ネットワークはＶ−ＣＳＮ（訪問先ドメイン・コネクティビティ・サービス・ネットワーク（ＣＳＮ））およびＶ−ＡＳＮ（訪問先ドメイン・アクセス・サービス・ネットワーク（ＡＳＮ））を含む。ユーザ端末は訪問先ドメイン・ネットワークへローミングし、訪問先ドメイン・アクセス・サービス・ネットワーク（ＡＳＮ）にアクセスする。訪問先ドメイン・コネクティビティ・サービス・ネットワーク（Ｖ−ＣＳＮ）、訪問先ドメイン・アクセス・サービス・ネットワーク（Ｖ−ＡＳＮ）、ホーム・ドメイン・コネクティビティ・サービス・ネットワーク（Ｈ−ＣＳＮ）のいずれであるかに関係なく、その機能モジュールは上記ロケーション・ベース・サービス（ＬＢＳ）・アーキテクチャの機能モジュールと同様であるので、詳細は省略する。ホーム・ドメイン・コネクティビティ・サービス・ネットワーク（Ｈ−ＣＳＮ）はさらにアカウンティング・サーバを含む。アカウンティング・サーバは、位置検出サーバへ対応するアカウンティング機能を提供するように構成されている。アクセス・サービス・ネットワーク・ゲートウェイ（ＡＳＮ−ＧＷ）はさらに認証手段を含む。認証手段は位置検出要求を認証するように構成されている。
【０００５】
ＷｉＭＡＸロケーション・ベース・サービス（ＬＢＳ）によって規定される既存のネットワーク・アーキテクチャによれば、ユーザ端末が訪問先ドメイン・ネットワークをローミングし、訪問先ドメイン・アクセス・サービス・ネットワーク（Ｖ−ＡＳＮ）にアクセスすると、クライアントは訪問先ドメイン・コネクティビティ・サービス・ネットワーク（Ｖ−ＣＳＮ）と訪問先ドメイン・アクセス・サービス・ネットワーク（Ｖ−ＡＳＮ）との間の通信によって位置検出サービスを訪問することができる。
【発明の概要】
【発明が解決しようとする課題】
【０００６】
しかしながら、クライアントがホーム・ドメイン・コネクティビティ・サービス・ネットワーク（Ｈ−ＣＳＮ）への位置検出要求を開始すると、ホーム・ドメイン・コネクティビティ・サービス・ネットワーク（Ｈ−ＣＳＮ）はユーザ端末の位置を検出することができない。なぜならば、ホーム・ドメイン・コネクティビティ・サービス・ネットワーク（Ｈ−ＣＳＮ）は訪問先ドメイン・アクセス・サービス・ネットワーク（Ｖ−ＡＳＮ）と直接通信することができないからである。これによって、位置を検出することができないのである。
【課題を解決するための手段】
【０００７】
本発明は、位置検出サービスを実現するための方法、システムおよびコネクティビティ・サービス・ネットワークに関する。本発明によれば、ユーザ端末が訪問先ドメイン・ネットワークをローミングする場合、クライアントがホーム・ドメイン・ネットワークによってユーザ端末を検出することができる。
【０００８】
本発明の目的を実現するために、本発明は以下のテクニカル・ソリューションを提供する。
【０００９】
位置検出サービスを実現する方法を提供する。該方法は、クライアントによって送信された位置検出要求をホーム・ドメイン・コネクティビティ・サービス・ネットワーク（Ｈ−ＣＳＮ）によって受信し、前記位置検出要求の認証が成功した後、訪問先ドメイン・コネクティビティ・サービス・ネットワーク（Ｖ−ＣＳＮ）に該位置検出要求を送信し、前記訪問先ドメイン・コネクティビティ・サービス・ネットワークによって戻された位置検出結果を受信し、前記位置検出結果は、前記訪問先ドメイン・コネクティビティ・サービス・ネットワークが訪問先ドメイン・アクセス・サービス・ネットワーク（Ｖ−ＡＳＮ）に前記位置検出要求を送信した後、該訪問先ドメイン・アクセス・サービス・ネットワークを動作させることによって位置検出測定から取得される情報であり、前記クライアントに前記位置検出結果を送信する。
【００１０】
ホーム・ドメイン・コネクティビティ・サービス・ネットワーク（Ｈ−ＣＳＮ）、訪問先ドメイン・コネクティビティ・サービス・ネットワーク（Ｖ−ＣＳＮ）、訪問先ドメイン・アクセス・サービス・ネットワーク（Ｖ−ＡＳＮ）を含む、位置検出サービスを実現するシステムを提供する。該システムは、ホーム・ドメイン・コネクティビティ・サービス・ネットワークは、クライアントによって送信された位置検出要求を受信し、位置検出要求の認証が成功した後に訪問先ドメイン・コネクティビティ・サービス・ネットワークに位置検出要求を送信し、訪問先ドメイン・コネクティビティ・サービス・ネットワークによって戻された位置検出要求を受信し、該クライアントに該位置検出結果を送信するように構成されており、前記訪問先ドメイン・コネクティビティ・サービス・ネットワークは、訪問先ドメイン・アクセス・サービス・ネットワークに前記位置検出要求を送信し、前記訪問先ドメイン・アクセス・サービス・ネットワークによって戻される位置検出結果を受信するように構成されており、前記訪問先ドメイン・アクセス・サービス・ネットワークは、前記訪問先ドメイン・コネクティビティ・サービス・ネットワークによって送信される位置検出要求にしたがって位置検出測定を動作させた後位置検出結果を取得し、前記訪問先ドメイン・コネクティビティ・サービス・ネットワークに該位置検出結果を送信するように構成されている。
【００１１】
ユーザ端末が属するホーム・ドメイン・コネクティビティ・サービス・ネットワーク（Ｈ−ＣＳＮ）であるコネクティビティ・サービス・ネットワーク（ＣＳＮ）を提供する。該コネクティビティ・サービス・ネットワークは、クライアントによって送信される位置検出要求を受信するように構成されている第一の受信手段と、前記位置検出要求を認証するように構成されている認証手段と、前記認証が成功した後、訪問先ドメイン・コネクティビティ・サービス・ネットワーク（Ｖ−ＣＳＮ）に位置検出要求を送信するように構成されている第一の送信手段と、前記訪問先ドメイン・コネクティビティ・サービス・ネットワークによって戻された位置検出結果を受信するように構成されている第二の受信手段と、前記クライアントに前記位置検出結果を送信するように構成されている第二の送信手段と、を備え、前記位置検出結果は、前記訪問先ドメイン・アクセス・サービス・ネットワークに訪問先ドメイン・コネクティビティ・サービス・ネットワークが位置検出要求を送信した後、訪問先ドメイン・アクセス・サービス・ネットワーク（Ｖ−ＡＳＮ）を動作させることによって位置検出測定から取得される情報である。
【００１２】
ユーザ端末がローミングする訪問先ドメイン・コネクティビティ・サービス・ネットワーク（Ｖ−ＣＳＮ）であるコネクティビティ・サービス・ネットワーク（ＣＳＮ）を提供する。該コネクティビティ・サービス・ネットワークは、ホーム・ドメイン・コネクティビティ・サービス・ネットワーク（Ｈ−ＣＳＮ）によって送信される位置検出要求を受信するように構成されている第一の受信手段と、訪問先ドメイン・アクセス・サービス・ネットワーク（Ｖ−ＡＳＮ）に前記位置検出要求を送信するように構成されている第一の送信手段と、前記訪問先ドメイン・アクセス・サービス・ネットワークによって戻される位置検出結果を受信するように構成されている第二の受信手段と、前記ホーム・ドメイン・コネクティビティ・サービス・ネットワークに前記位置検出結果を送信するように構成されている第二の送信手段と、を備え、前記位置検出結果は、前記位置検出要求にしたがって、位置検出測定を訪問先ドメイン・アクセス・サービス・ネットワークが動作させた後、取得される情報である。
【００１３】
本発明の上記実施形態によって提供されるテクニカル・ソリューションに示されるように、ホーム・ドメイン・コネクティビティ・サービス・ネットワークはクライアントによって送信される位置検出要求を受信し、位置検出要求の認証が成功した後、位置検出要求を訪問先ドメイン・コネクティビティ・サービス・ネットワークに送信し、訪問先ドメイン・コネクティビティ・サービス・ネットワークによって戻される位置検出結果を受信し、位置検出結果は訪問先ドメイン・コネクティビティ・サービス・ネットワークによって送信される位置検出要求にしたがって動作させられる位置検出測定から訪問先ドメイン・アクセス・サービス・ネットワークによって取得される情報であり、クライアントに位置検出結果を送信する。
【発明の効果】
【００１４】
本発明の実施形態を実行することによって、ユーザ端末がホーム・ドメイン・ネットワークから訪問先ドメイン・ネットワークにローミングした場合、位置検出結果を受信した後、ホーム・ドメイン・コネクティビティ・サービス・ネットワークは訪問先ドメイン・コネクティビティ・サービス・ネットワークと相互に通信し、訪問先ドメイン・アクセス・サービス・ネットワークを介して、訪問先ドメイン・コネクティビティ・サービス・ネットワークによって実行される位置制御をとおして検出結果を取得する。これによって、ホーム・ドメイン・ネットワークからユーザ端末の位置検出を実現し、ユーザ端末がローミングする場合、ホーム・ドメイン・ネットワークの位置検出サービスの適用を拡大する。
【図面の簡単な説明】
【００１５】
【図１】ＷｉＭＡＸローミング・シナリオにもとづくネットワーク・アーキテクチャの概略図である。
【図２】本発明の実施形態による位置検出サービスを実現する方法のフロー・チャートである。
【図３】本発明の他の実施形態による位置検出サービスを実現する方法のフロー・チャートである。
【図４】本発明の他の実施形態による位置検出サービスを実現する方法のフロー・チャートである。
【図５】本発明の他の実施形態による位置検出サービスを実現する方法のフロー・チャートである。
【図６】本発明の他の実施形態による位置検出サービスを実現する方法のフロー・チャートである。
【図７】本発明の他の実施形態による位置検出サービスを実現する方法のフロー・チャートである。
【図８】本発明の他の実施形態による位置検出サービスを実現する方法のフロー・チャートである。
【図９】本発明の実施形態による位置検出サービスを実現するシステムのブロック図である。
【図１０】本発明の実施形態によるコネクティビティ・サービス・ネットワークのブロック図である。
【図１１】本発明の他の実施形態によるコネクティビティ・サービス・ネットワークのブロック図である。
【図１２】本発明の他の実施形態によるコネクティビティ・サービス・ネットワークのブロック図である。
【図１３】本発明の他の実施形態によるコネクティビティ・サービス・ネットワークのブロック図である。
【発明を実施するための形態】
【００１６】
本発明は、位置検出サービスを実現する方法、システムおよびコネクティビティ・サービス・ネットワーク（ＣＳＮ）を提供する。ホーム・ドメイン・コネクティビティ・サービス・ネットワーク（Ｈ−ＣＳＮ）はクライアントによって送信される位置検出要求を受信し、位置検出要求の認証が成功すると、訪問先ドメイン・コネクティビティ・サービス・ネットワーク（Ｖ−ＣＳＮ）に位置検出要求を送信し、訪問先ドメイン・コネクティビティ・サービス・ネットワーク（Ｖ−ＣＳＮ）によって戻される位置検出結果を受信する。位置検出結果は訪問先ドメイン・コネクティビティ・サービス・ネットワーク（Ｖ−ＣＳＮ）によって送信される位置検出要求にしたがって、訪問先ドメイン・アクセス・サービス・ネットワーク（Ｖ−ＡＳＮ）によって起動される位置検出測定から取得される情報である。位置検出結果はクライアントへ送信される。
【００１７】
本発明の実施形態による方法のプロセスを図２に示す。
【００１８】
ステップ２０１：ホーム・ドメイン・コネクティビティ・サービス・ネットワーク（Ｈ−ＣＳＮ）はクライアントによって送信される位置検出要求を受信する。
【００１９】
ステップ２０２：位置検出要求は、位置検出要求の認証が成功すると、訪問先ドメイン・コネクティビティ・サービス・ネットワーク（Ｖ−ＣＳＮ）に送信される。
【００２０】
訪問先ドメイン・コネクティビティ・サービス・ネットワーク（Ｖ−ＣＳＮ）に位置検出要求を送信することは、ホーム・ドメイン・コネクティビティ・サービス・ネットワーク（Ｈ−ＣＳＮ）のＨ−ＬＳ（ホーム・ドメイン位置検出サーバ）が訪問先ドメイン・コネクティビティ・サービス・ネットワーク（Ｖ−ＣＳＮ）の機能エンティティに位置検出要求を送信すること、もしくは、ホーム・ドメイン・コネクティビティ・サービス・ネットワーク（Ｈ−ＣＳＮ）のホーム・ドメイン位置検出サーバ（Ｈ−ＬＳ）がホーム・ドメインＡＡＡ（Ｈ−ＡＡＡ）サーバによって訪問先ドメイン・コネクティビティ・サービス・ネットワーク（Ｖ−ＣＳＮ）の機能エンティティに位置検出要求を送出することを含む。訪問先ドメイン・コネクティビティ・サービス・ネットワーク（Ｖ−ＣＳＮ）の機能エンティティはＶ−ＬＳ（訪問先ドメイン位置検出サーバ）もしくはＶ−ＡＡＡ（訪問先ドメインＡＡＡ）サーバであってよい。
【００２１】
ステップ２０３：訪問先ドメイン・コネクティビティ・サービス・ネットワーク（Ｖ−ＣＳＮ）によって戻された位置検出結果を受信する。
【００２２】
詳細には、位置検出結果は、訪問先ドメイン・コネクティビティ・サービス・ネットワーク（Ｖ−ＣＳＮ）によって受信される位置検出要求にしたがって起動される位置検出測定から訪問先ドメイン・アクセス・サービス・ネットワーク（Ｖ−ＡＳＮ）によって取得される情報である。
【００２３】
訪問先ドメイン・コネクティビティ・サービス・ネットワーク（Ｖ−ＣＳＮ）が位置検出要求を訪問先ドメイン・アクセス・サービス・ネットワーク（Ｖ−ＡＳＮ）に送信するモードは、訪問先ドメイン・コネクティビティ・サービス・ネットワーク（Ｖ−ＣＳＮ）の訪問先ドメイン位置検出サーバ（Ｖ−ＬＳ）が訪問先ドメイン・アクセス・サービス・ネットワーク（Ｖ−ＡＳＮ）の認証手段から訪問先ドメイン・アクセス・サービス・ネットワーク（Ｖ−ＡＳＮ）のＶ−ＬＣ（訪問先ドメイン位置検出コントローラ）の識別を取得し、訪問先ドメイン位置検出コントローラ（Ｖ−ＬＣ）の識別にしたがって訪問先ドメイン位置検出コントローラ（Ｖ−ＬＣ）に位置検出要求を送信するモード、もしくは、訪問先ドメイン・コネクティビティ・サービス・ネットワーク（Ｖ−ＣＳＮ）の位置検出サーバ（ＬＳ）が訪問先ドメイン・コネクティビティ・サービス・ネットワーク（Ｖ−ＣＳＮ）の訪問先ドメインＡＡＡ（Ｖ−ＡＡＡ）サーバおよび訪問先ドメイン・アクセス・サービス・ネットワーク（Ｖ−ＡＳＮ）の認証手段によって訪問先ドメイン・位置検出コントローラ（Ｖ−ＬＣ）に位置検出要求を送信するモードを含む。
【００２４】
訪問先ドメイン・コネクティビティ・サービス・ネットワーク（Ｖ−ＣＳＮ）によって戻される位置検出結果を受信することは、訪問先ドメイン・コネクティビティ・サービス・ネットワーク（Ｈ−ＣＳＮ）の訪問先ドメイン位置検出サーバ（Ｈ−ＬＳ）が訪問先ドメイン・コネクティビティ・サービス・ネットワーク（Ｖ−ＣＳＮ）の機能エンティティによって戻される位置検出結果を受信すること、もしくは、ホーム・ドメイン・コネクティビティ・サービス・ネットワーク（Ｈ−ＣＳＮ）のホーム・ドメイン位置検出サーバ（Ｈ−ＬＳ）が、訪問先ドメイン・コネクティビティ・サービス・ネットワーク（Ｖ−ＣＳＮ）の機能エンティティによって戻される位置検出結果をホーム・ドメインＡＡＡ（Ｈ−ＡＡＡ）サーバによって受信すること、を含む。訪問先ドメイン・コネクティビティ・サービス・ネットワーク（Ｖ−ＣＳＮ）の機能エンティティは訪問先ドメイン位置検出サーバ（Ｖ−ＬＳ）もしくは訪問先ドメインＡＡＡ（Ｖ−ＡＡＡ）サーバであってよい。
【００２５】
ステップ２０４：位置検出結果をクライアントに送信する。
【００２６】
当業者が本発明のテクニカル・ソリューションをよりよく理解することができるように、本発明の実施形態によって提供されるテクニカル・ソリューションをローミング・ネットワーク・アーキテクチャの概略を示す図１を参照して詳細に記述する。
【００２７】
本発明のもう一つの実施形態によって位置検出サービスを実現する方法のプロセスを図３に示す。この実施形態は、ホーム・ドメイン位置検出サーバ（Ｈ−ＬＳ）と訪問先ドメイン位置検出サーバ（Ｖ−ＬＳ）との間で位置検出要求および位置検出応答が直接送信され、訪問先ドメイン位置検出サーバ（Ｖ−ＬＳ）が訪問先ドメイン位置検出コントローラ（Ｖ−ＬＣ）に位置検出測定を実行するように指示するプロセスを示す。
【００２８】
ステップ３０１：端末がネットワークにアクセスすると、もしくは、訪問先ドメイン・アクセス・サービス・ネットワーク（Ｖ−ＡＳＮ）が動作すると、ホーム・ドメイン位置検出サーバ（Ｈ−ＬＳ）は位置検出機能情報を取得する。位置検出機能情報は、端末の位置検出機能、訪問先ドメイン・アクセス・サービス・ネットワーク（Ｖ−ＡＳＮ）の位置検出機能および訪問先ドメイン・コネクティビティ・サービス・ネットワーク（Ｖ−ＣＳＮ）の位置検出機能の少なくとも一つを含むことができ、認証メッセージによってホーム・ドメイン位置検出サーバ（Ｈ−ＬＳ）に送信されてもよい。
【００２９】
ステップ３０２：クライアントは位置検出要求をホーム・ドメイン位置検出サーバ（Ｈ−ＬＳ）に送信する。要求は、検出されるべき端末の識別および（水平方向精度、垂直方向精度、位置検出遅れなどについて）位置検出に要求されるＱｏＳ（サービス品質）を含んでもよい。周期的な位置検出が要求される場合、位置検出要求はさらに位置検出周期を含んでもよい。
【００３０】
ステップ３０３：ホーム・ドメイン位置検出サーバ（Ｈ−ＬＳ）は、訪問先ドメイン・ネットワークの位置検出機能情報にしたがって、位置検出機能情報が位置検出要求を満足するか否か判断する。位置検出機能情報が位置検出要求を満足するならば、ステップ３０４を実行する。位置検出機能情報が位置検出要求を満足しないならば、位置検出失敗応答をクライアントに戻す。
【００３１】
ステップ３０４：ホーム・ドメイン位置検出サーバ（Ｈ−ＬＳ）はホーム・ドメインＡＡＡ（Ｈ−ＡＡＡ）サーバによって位置検出要求を認証する。認証は、クライアント、ロケーション・ベース・サービス（ＬＢＳ）のサーバ、端末の認証および認可のプロセスを含む。認証が成功すると、ステップ３０５を実行する。認証が失敗した場合、位置検出失敗応答をクライアントに戻す。
【００３２】
ステップ３０５：ホーム・ドメイン位置検出サーバ（Ｈ−ＬＳ）は訪問先ドメイン位置検出サーバ（Ｖ−ＬＳ）にクライアントによって送信された位置検出要求を送出する。
【００３３】
ステップ３０６：訪問先ドメイン位置検出サーバ（Ｖ−ＬＳ）は訪問先ドメインＡＡＡ（Ｖ−ＡＡＡ）サーバによってローカルに位置検出要求を認証する。クライアント、ローカル・ポリシー、もしくは、ネットワークの状態にしたがって、認証がなされてもよい。認証に成功すると、ステップ３０７を実行する。認証に失敗すると、位置検出失敗応答をホーム・ドメイン位置検出サーバ（Ｈ−ＬＳ）によってクライアントに送出する。
【００３４】
ステップ３０７：訪問先ドメイン位置検出サーバ（Ｖ−ＬＳ）は位置検出測定を実行し、位置検出測定情報を取得するように、ネットワークを動作させるために、訪問先ドメイン位置検出コントローラ（Ｖ−ＬＣ）に位置検出要求を送信する。
【００３５】
位置検出コントローラ（ＬＣ）へ位置検出要求を送信することは２つのモードを含む：訪問先ドメイン位置検出サーバ（Ｖ−ＬＳ）が認証手段によって訪問先ドメイン位置検出コントローラ（Ｖ−ＬＣ）のアドレスを取得し、該アドレスにしたがって、訪問先ドメイン位置検出コントローラ（Ｖ−ＬＣ）に位置検出要求を直接送信する。もしくは、
位置検出サーバ（ＬＳ）は訪問先ドメインＡＡＡ（Ｖ−ＡＡＡ）サーバおよび認証手段によって訪問先ドメイン位置検出コントローラ（Ｖ−ＬＣ）に位置検出要求を送出する。ステップ３０６の位置検出認証およびステップ３０７の位置検出要求の送出は一つのステップに結合され、実行されてもよい。
【００３６】
ステップ３０８：取得した位置検出測定情報にしたがって、訪問先ドメイン位置検出サーバ（Ｖ−ＬＳ）は計算し、位置検出結果を含む位置検出応答をホーム・ドメイン位置検出サーバ（Ｈ−ＬＳ）に送信する。
【００３７】
ステップ３０９：ホーム・ドメイン位置検出サーバ（Ｈ−ＬＳ）は受信した位置検出応答をクライアントに送出する。
【００３８】
ステップ３０５においてホーム・ドメイン位置検出サーバ（Ｈ−ＬＳ）によって送信された位置検出要求が周期的な位置検出を要求するものであれば、ホーム・ドメイン位置検出サーバ（Ｈ−ＬＳ）によって送信される位置検出終了メッセージを受信するまで、要求メッセージの位置検出周期情報にしたがって、訪問先ドメイン位置検出コントローラ（Ｖ−ＬＣ）はステップ３０７〜３０９を繰り返す。
【００３９】
本発明の位置検出サービスを実現する方法の他の実施形態のプロセスを図４に示す。この実施形態は、ホーム・ドメインＡＡＡ（Ｈ−ＡＡＡ）サーバによってホーム・ドメイン位置検出サーバ（Ｈ−ＬＳ）と訪問先ドメイン位置検出サーバ（Ｖ−ＬＳ）との間で位置検出要求および位置検出応答を伝送し、訪問先ドメイン位置検出サーバ（Ｖ−ＬＳ）が位置検出測定を実行するように訪問先ドメイン位置検出コントローラ（Ｖ−ＬＣ）に指示するプロセスを示す。
【００４０】
ステップ４０１：端末がネットワークにアクセスすると、もしくは、訪問先ドメイン・アクセス・サービス・ネットワーク（Ｖ−ＡＳＮ）が動作すると、ホーム・ドメイン位置検出サーバ（Ｈ−ＬＳ）は位置検出機能情報を取得する。位置検出機能情報は、端末の位置検出機能、訪問先ドメイン・アクセス・サービス・ネットワーク（Ｖ−ＡＳＮ）の位置検出機能、訪問先ドメイン・コネクティビティ・サービス・ネットワーク（Ｖ−ＣＳＮ）の位置検出機能の少なくとも一つを含んでよく、認証メッセージによってホーム・ドメイン位置検出サーバ（Ｈ−ＬＳ）に送信される。
【００４１】
ステップ４０２：クライアントはホーム・ドメイン位置検出サーバ（Ｈ−ＬＳ）に位置検出要求を送信する。要求は、位置を検出されるべき端末の識別および（水平方向精度、垂直方向精度、および、位置検出遅れについての）位置検出のために要求されるＱｏＳ（サービス品質）値を含んでいてもよい。周期的位置検出が要求された場合、位置検出要求はさらに位置検出周期を含んでもよい。
【００４２】
ステップ４０３：ホーム・ドメイン位置検出サーバ（Ｈ−ＬＳ）は、訪問先ドメイン・ネットワークの位置検出機能情報にしたがって、位置検出要求が満足されるか否かを判断し、位置検出要求が満足されるならば、ステップ４０４を実行する。位置検出要求を満足しないならば、位置検出失敗応答をクライアントに戻す。
【００４３】
ステップ４０４：ホーム・ドメイン位置検出サーバ（Ｈ−ＬＳ）はホーム・ドメインＡＡＡ（Ｈ−ＡＡＡ）サーバによって位置検出要求を認証する。認証は、クライアント、ロケーション・ベース・サービス（ＬＢＳ）サーバ、端末の認証および認可のプロセスを含む。認証に成功した場合、ステップ４０５を実行する。認証に失敗した場合、位置検出失敗応答をクライアントに戻す。
【００４４】
ステップ４０５：ホーム・ドメイン位置検出サーバ（Ｈ−ＬＳ）はクライアントによって送信された位置検出要求をホーム・ドメインＡＡＡ（Ｈ−ＡＡＡ）サーバに送出する。
【００４５】
ステップ４０４の位置検出要求の認証およびステップ４０５の位置検出要求の送出は一つのステップに結合され、実行されてもよい。すなわち、ホーム・ドメインＡＡＡ（Ｈ−ＡＡＡ）サーバは位置検出メッセージを送出する前に認証する。認証に成功した場合、ステップ４０６を実行する。認証に失敗した場合、位置検出失敗応答をホーム・ドメイン位置検出サーバ（Ｈ−ＬＳ）によってクライアントに送出する。
【００４６】
ステップ４０６：ホーム・ドメインＡＡＡ（Ｈ−ＡＡＡ）サーバは訪問先ドメイン位置検出サーバ（Ｖ−ＬＳ）に位置検出要求を送出する。
【００４７】
ステップ４０７：訪問先ドメイン位置検出サーバ（Ｖ−ＬＳ）は訪問先ドメインＡＡＡ（Ｖ−ＡＡＡ）サーバによってローカルに位置検出要求を認証する。クライアント、ローカル・ポリシー、もしくはネットワークの状態にしたがって、認証がなされてもよい。認証に成功した場合、ステップ４０８を実行する。認証に失敗した場合、位置検出失敗応答をホーム・ドメイン位置検出サーバ（Ｈ−ＬＳ）によってクライアントに送出する。
【００４８】
ステップ４０８：訪問先ドメイン位置検出サーバ（Ｖ−ＬＳ）は位置検出測定を実行し、位置検出測定情報を取得するように、ネットワークを動作させるために、訪問先ドメイン位置検出コントローラ（Ｖ−ＬＣ）に位置検出要求を送信する。
【００４９】
位置検出コントローラ（ＬＣ）に位置検出要求を送信することは、２つのモードを含む：
訪問先ドメイン位置検出サーバ（Ｖ−ＬＳ）は認証手段によって訪問先ドメイン位置検出コントローラ（Ｖ−ＬＣ）のアドレスを取得し、該アドレスにしたがって訪問先ドメイン位置検出コントローラ（Ｖ−ＬＣ）に位置検出要求を直接送信する。もしくは、
位置検出サーバ（ＬＳ）は訪問先ドメインＡＡＡ（Ｖ−ＡＡＡ）および認証手段によって訪問先ドメイン位置検出コントローラ（Ｖ−ＬＣ）に位置検出要求を送出する。ステップ４０７のローカル認証およびステップ４０８の位置検出要求の送出は一つのステップに結合され、実行されてもよい。
【００５０】
ステップ４０９：位置検出結果を取得し、該位置検出結果を含む位置検出応答をホーム・ドメインＡＡＡ（Ｈ−ＡＡＡ）サーバに送信するために、取得した位置検出測定情報にしたがって、訪問先ドメイン位置検出サーバ（Ｖ−ＬＳ）は計算する。
【００５１】
ステップ４１０：ホーム・ドメインＡＡＡ（Ｈ−ＡＡＡ）サーバはホーム・ドメイン位置検出サーバ（Ｈ−ＬＳ）に位置検出応答を送出する。
【００５２】
ステップ４１１：ホーム・ドメイン位置検出サーバ（Ｈ−ＬＳ）はクライアントに受信した位置検出応答を送出する。
【００５３】
ステップ４０５でホーム・ドメイン位置検出サーバ（Ｈ−ＬＳ）によって送信された位置検出要求が周期的な位置検出要求であれば、ホーム・ドメイン位置検出サーバ（Ｈ−ＬＳ）によって送信される位置検出終了メッセージを受信するまで、応答メッセージの位置検出周期情報にしたがって、訪問先ドメイン位置検出コントローラ（Ｖ−ＬＣ）はステップ４０８〜４１１を繰り返す。
【００５４】
本発明の位置検出サービスを実現する方法のその他の実施形態のプロセスを図５に示す。ホーム・ドメインＡＡＡ（Ｈ−ＡＡＡ）サーバおよび訪問先ドメインＡＡＡ（Ｖ−ＡＡＡ）サーバの各々によってホーム・ドメイン位置検出サーバ（Ｈ−ＬＳ）が要求の認証を完了した後、訪問先ドメインＡＡＡ（Ｖ−ＡＡＡ）サーバおよび認証手段が位置検出要求および位置検出応答を送出するプロセスをこの実施形態は示す。
【００５５】
ステップ５０１：クライアントはホーム・ドメイン位置検出サーバ（Ｈ−ＬＳ）に位置検出要求を送信する。要求は、検出されるべき端末の識別および（水平方向精度、垂直方向精度、位置検出遅れなどについて）位置検出に要求されるＱｏＳ（サービス品質）を含んでもよい。周期的位置検出が要求された場合、位置検出要求はさらに位置検出周期を含んでもよい。
【００５６】
ステップ５０２：ホーム・ドメイン位置検出サーバ（Ｈ−ＬＳ）はホーム・ドメインＡＡＡ（Ｈ−ＡＡＡ）サーバによって位置検出要求を認証する。認証は、クライアント、ロケーション・ベース・サービス（ＬＢＳ）のサーバ、端末の認証および認可のプロセスを含む。認証に成功した場合、ステップ５０３を実行する。認証に失敗した場合、位置検出失敗応答をクライアントに戻す。
【００５７】
ステップ５０３：ホーム・ドメイン位置検出サーバ（Ｈ−ＬＳ）は訪問先ドメインＡＡＡ（Ｖ−ＡＡＡ）サーバによって位置検出要求をローカルに認証する。クライアント、ローカル・ポリシー、もしくは、ネットワークの状態にしたがって、認証がなされてもよい。認証に成功した場合、ステップ５０４を実行する。認証に失敗した場合、位置検出失敗応答をホーム・ドメイン位置検出サーバ（Ｈ−ＬＳ）によってクライアントに送出する。
【００５８】
ステップ５０４：ホーム・ドメイン位置検出サーバ（Ｈ−ＬＳ）はクライアントによって送信された位置検出要求を訪問先ドメインＡＡＡ（Ｖ−ＡＡＡ）サーバに送出する。
【００５９】
ステップ５０３の位置検出要求の認証およびステップ５０４の位置検出要求の送出は一つのステップに結合され、実行されてもよい。すなわち、訪問先ドメインＡＡＡ（Ｖ−ＡＡＡ）サーバは位置検出要求メッセージを送出する前に認証する。認証に成功した場合、ステップ５０５を実行する。認証に失敗した場合、位置検出失敗応答をホーム・ドメイン位置検出サーバ（Ｈ−ＬＳ）によってクライアントに送出する。
【００６０】
ステップ５０５：訪問先ドメインＡＡＡ（Ｖ−ＡＡＡ）サーバはホーム・ドメイン位置検出サーバ（Ｈ−ＬＳ）によって送信された位置検出要求を認証手段によって送出する。
【００６１】
ステップ５０６：認証手段は訪問先ドメインＡＡＡ（Ｖ−ＡＡＡ）サーバによって送信された位置検出要求を訪問先ドメイン位置検出コントローラ（Ｖ−ＬＣ）に送出する。
【００６２】
ステップ５０７：認証手段は、位置検出測定を実行し、位置検出測定情報を取得するように、ネットワークを動作させるために、訪問先ドメイン位置検出コントローラ（Ｖ−ＬＣ）に位置検出要求を送信する。
【００６３】
ステップ５０８：位置検出結果を取得するために、取得した位置検出測定情報にしたがって、訪問先ドメイン位置検出コントローラ（Ｖ−ＬＣ）は計算し、該位置検出結果を含む位置検出応答を認証手段に送信する。位置検出応答は位置検出が成功したか否かを示す情報をさらに含んでもよい。
【００６４】
ステップ５０９：認証手段は訪問先ドメインＡＡＡ（Ｖ−ＡＡＡ）サーバに受信した位置検出応答を送出する。
【００６５】
ステップ５１０：訪問先ドメインＡＡＡ（Ｖ−ＡＡＡ）サーバはホーム・ドメイン位置検出サーバ（Ｈ−ＬＳ）に受信した位置検出応答を送出する。
【００６６】
ステップ５１１：ホーム・ドメイン位置検出サーバ（Ｈ−ＬＳ）は受信した位置検出応答をクライアントに送出する。
【００６７】
ステップ５０４でホーム・ドメイン位置検出サーバ（Ｈ−ＬＳ）によって送信された検出要求が周期的な位置検出を要求するものであれば、ホーム・ドメイン位置検出サーバ（Ｈ−ＬＳ）によって送信された位置検出終了メッセージを受信するまで、要求メッセージの位置検出周期情報にしたがって、訪問先ドメイン位置検出コントローラ（Ｖ−ＬＣ）はステップ５０７〜５１１を繰り返す。
【００６８】
本発明のその他の実施形態によって位置検出サービスを実現する方法のプロセスを図６に示す。ホーム・ドメインＡＡＡ（Ｈ−ＡＡＡ）サーバおよび訪問先ドメインＡＡＡ（Ｖ−ＡＡＡ）サーバの各々によってホーム・ドメイン位置検出サーバ（Ｈ−ＬＳ）が要求の認証を完了した後、訪問先ドメインＡＡＡ（Ｖ−ＡＡＡ）サーバおよび認証手段が位置検出要求および位置検出応答を送出するプロセスをこの実施形態は示す。
【００６９】
ステップ６０１：端末がネットワークにアクセスすると、ホーム・ドメイン位置検出サーバ（Ｈ−ＬＳ）は位置検出機能情報を取得する。位置検出機能情報は、端末の位置検出機能、訪問先ドメイン・アクセス・サービス・ネットワーク（Ｖ−ＡＳＮ）の位置検出機能、および、訪問先ドメイン・コネクティビティ・サービス・ネットワーク（Ｖ−ＣＳＮ）の位置検出機能の少なくとも一つを含んでもよく、認証メッセージによってホーム・ドメイン位置検出サーバ（Ｈ−ＬＳ）に送信されてもよい。
【００７０】
ステップ６０２：クライアントはホーム・ドメイン位置検出サーバ（Ｈ−ＬＳ）に位置検出要求を送信する。要求は、位置を検出されるべき端末の識別および（水平方向精度、垂直方向精度、位置検出遅れなどについて）位置検出に要求されるＱｏＳ（サービス品質）値を含んでもよい。周期的な位置検出が要求された場合、位置検出要求はさらに位置検出周期を含んでもよい。
【００７１】
ステップ６０３：ホーム・ドメイン位置検出サーバ（Ｈ−ＬＳ）は、訪問先ドメイン・ネットワークの位置検出機能情報にしたがって、位置検出要求が満足されるか否かについて判断し、位置検出要求が満足される場合、ステップ６０４を実行する。位置検出要求が満足されない場合、位置検出失敗応答をクライアントに戻す。
【００７２】
ステップ６０４：ホーム・ドメイン位置検出サーバ（Ｈ−ＬＳ）はホーム・ドメインＡＡＡ（Ｈ−ＡＡＡ）サーバによって位置検出要求を認証する。認証は、クライアント、ロケーション・ベース・サービス（ＬＢＳ）のサーバ、および、端末の認証および認可のプロセスを含む。認証が成功した場合、ステップ６０５を実行し、認証が失敗した場合、位置検出失敗応答をクライアントに戻す。
【００７３】
ステップ６０５：ホーム・ドメインＡＡＡ（Ｈ−ＡＡＡ）サーバは訪問先ドメインＡＡＡ（Ｖ−ＡＡＡ）サーバによって位置検出要求をローカルに認証する。クライアント、ローカル・ポリシー、ネットワークの状態にしたがって、認証がなされてもよい。認証に成功した場合、ステップ６０６を実行し、認証に失敗した場合、位置検出失敗応答をホーム・ドメイン位置検出サーバ（Ｈ−ＬＳ）によってクライアントに送出する。
【００７４】
ステップ６０６：ホーム・ドメイン位置検出サーバ（Ｈ−ＬＳ）はホーム・ドメインＡＡＡ（Ｈ−ＡＡＡ）サーバにクライアントによって送信された位置検出要求を送出する。
【００７５】
ステップ６０４の位置検出要求の認証およびステップ６０６の位置検出要求の送出は、一つのステップに結合され、実行されてもよい。すなわち、ホーム・ドメインＡＡＡ（Ｈ−ＡＡＡ）サーバは、位置検出要求メッセージを送出する前に認証する。認証に成功した場合、ステップ６０７を実行し、認証に失敗した場合、位置検出失敗応答をホーム・ドメイン位置検出サーバ（Ｈ−ＬＳ）によってクライアントに送出する。
【００７６】
ステップ６０７：ホーム・ドメインＡＡＡ（Ｈ−ＡＡＡ）サーバはホーム・ドメイン位置検出サーバ（Ｈ−ＬＳ）によって送信された位置検出要求を訪問先ドメインＡＡＡ（Ｖ−ＡＡＡ）サーバに送出する。
【００７７】
ステップ６０５の位置検出要求の認証およびステップ６０７の位置検出要求の送出は一つのステップに結合され、実行されてもよい。すなわち、訪問先ドメインＡＡＡ（Ｖ−ＡＡＡ）サーバは位置検出要求メッセージを送出する前に認証する。認証に成功した場合、ステップ６０８を実行し、認証に失敗した場合、位置検出失敗応答をホーム・ドメイン位置検出サーバ（Ｈ−ＬＳ）によってクライアントに送出する。
【００７８】
ステップ６０８：訪問先ドメインＡＡＡ（Ｖ−ＡＡＡ）サーバはホーム・ドメインＡＡＡ（Ｈ−ＡＡＡ）サーバによって送信された位置検出要求を認証手段へ送出する。
【００７９】
ステップ６０９：認証手段は、訪問先ドメインＡＡＡ（Ｖ−ＡＡＡ）サーバによって送信された位置検出要求を訪問先ドメイン位置検出コントローラ（Ｖ−ＬＣ）へ送出する。
【００８０】
ステップ６１０：位置検出測定を実行し、位置検出測定情報を取得するように、ネットワークを動作させるために、認証手段は訪問先ドメイン位置検出コントローラ（Ｖ−ＬＣ）に位置検出要求を送信する。
【００８１】
ステップ６１１：訪問先ドメイン位置検出コントローラ（Ｖ−ＬＣ）は、取得した位置検出測定情報にしたがって、位置検出結果を取得するために計算し、位置検出結果を含む位置検出応答を認証手段に送信する。位置検出応答は位置検出が成功したか否か示す情報をさらに含んでもよい。
【００８２】
ステップ６１２：認証手段は受信した位置検出応答を訪問先ドメインＡＡＡ（Ｖ−ＡＡＡ）サーバに送出する。
【００８３】
ステップ６１３：訪問先ドメインＡＡＡ（Ｖ−ＡＡＡ）サーバは受信した位置検出応答をホーム・ドメインＡＡＡ（Ｈ−ＡＡＡ）サーバに送出する。
【００８４】
ステップ６１４：ホーム・ドメインＡＡＡ（Ｈ−ＡＡＡ）サーバは受信した位置検出応答をホーム・ドメイン位置検出サーバ（Ｈ−ＬＳ）に送出する。
【００８５】
ステップ６１５：ホーム・ドメイン位置検出サーバ（Ｈ−ＬＳ）は受信した位置検出応答をクライアントに送出する。
【００８６】
ステップ６１６でホーム・ドメイン位置検出サーバ（Ｈ−ＬＳ）によって送信された位置検出要求が周期的な位置検出を要求するものであれば、ホーム・ドメイン位置検出サーバ（Ｈ−ＬＳ）によって送信される位置検出終了メッセージを受信するまで、要求メッセージの位置検出周期情報にしたがって、訪問先ドメイン位置検出コントローラ（Ｖ−ＬＣ）はステップ６１０〜６１５を繰り返す。
【００８７】
本発明の位置検出サービスを実現する方法のその他の実施形態のプロセスを図７に示す。この実施形態は、ホーム・ドメイン位置検出サーバ（Ｈ−ＬＳ）が訪問先ドメインＡＡＡ（Ｖ−ＡＡＡ）サーバに位置検出要求を直接送信し、訪問先ドメインＡＡＡ（Ｖ−ＡＡＡ）サーバが位置検出測定を実行することを訪問先ドメイン位置検出サーバ（Ｖ−ＬＳ）によって訪問先ドメイン位置検出コントローラ（Ｖ−ＬＣ）に指示し、ホーム・ドメイン位置検出サーバ（Ｈ−ＬＳ）がホーム・ドメイン・アカウンティングサーバからのアカウンティング更新を要求するプロセスを示す。
【００８８】
ステップ７０１：クライアントはホーム・ドメイン位置検出サーバ（Ｈ−ＬＳ）に位置検出要求を送信する。要求は、検出されるべき端末の識別および（水平方向精度、垂直方向精度、位置検出遅れなどについて）位置検出に要求されるＱｏＳ（サービス品質）値を含んでもよい。周期的な位置検出が要求された場合、位置検出要求はさらに位置検出周期を含んでもよい。
【００８９】
ステップ７０２：ホーム・ドメイン位置検出サーバ（Ｈ−ＬＳ）はホーム・ドメインＡＡＡ（Ｈ−ＡＡＡ）サーバによって位置検出要求を認証する。認証はクライアント、ロケーション・ベース・サービス（ＬＢＳ）のサーバ、端末の認証および認可のプロセスも含む。認証に成功した場合ステップ７０３を実行し、認証に失敗した場合位置検出失敗応答をクライアントに戻す。
【００９０】
ステップ７０３：ホーム・ドメイン位置検出サーバ（Ｈ−ＬＳ）はクライアントによって送信された位置検出要求を訪問先ドメインＡＡＡ（Ｖ−ＡＡＡ）サーバに送出する。
【００９１】
ステップ７０４：訪問先ドメインＡＡＡ（Ｖ−ＡＡＡ）サーバは位置検出要求をローカルで認証する。クライアント、ローカル・ポリシー、もしくは、ネットワークの状態にしたがって認証がなされてもよい。認証が成功した場合、ステップ７０５を実行し、認証が失敗した場合、ホーム・ドメイン位置検出サーバ（Ｈ−ＬＳ）によって位置検出失敗応答をクライアントに送出する。
【００９２】
ステップ７０５：訪問先ドメインＡＡＡ（Ｖ−ＡＡＡ）サーバはホーム・ドメイン位置検出サーバ（Ｈ−ＬＳ）によって送信された位置検出要求を訪問先ドメイン位置検出サーバ（Ｖ−ＬＳ）に送出する。
【００９３】
ステップ７０６：訪問先ドメイン位置検出サーバ（Ｖ−ＬＳ）は位置検出測定を実行し、位置検出測定情報を取得するように、ネットワークを動作させるために、訪問先ドメイン位置検出コントローラ（Ｖ−ＬＣ）に位置検出要求を送信する。
【００９４】
位置検出コントローラ（ＬＣ）に位置検出要求を送信することは２つのモードを含む：
訪問先ドメイン位置検出サーバ（Ｖ−ＬＳ）は認証手段によって訪問先ドメイン位置検出コントローラ（Ｖ−ＬＣ）のアドレスを取得し、該アドレスにしたがって訪問先ドメイン位置検出コントローラ（Ｖ−ＬＣ）に位置検出要求を直接送信する。もしくは、
位置検出サーバ（ＬＳ）は訪問先ドメインＡＡＡ（Ｖ−ＡＡＡ）サーバおよび認証手段によって位置検出要求を訪問先ドメイン位置検出コントローラ（Ｖ−ＬＣ）に送出する。ステップ７０４の位置検出認証およびステップ７０５、ステップ７０６の位置検出要求の送出は一つのステップに結合され、実行されてもよい。
【００９５】
ステップ７０７：訪問先ドメイン位置検出サーバ（Ｖ−ＬＳ）は、取得した位置検出測定情報にしたがって、位置検出結果を取得するために計算し、位置検出結果を含む位置検出応答を訪問先ドメインＡＡＡ（Ｖ−ＡＡＡ）サーバに送信する。
【００９６】
ステップ７０８：訪問先ドメインＡＡＡ（Ｖ−ＡＡＡ）サーバはホーム・ドメイン位置検出サーバ（Ｈ−ＬＳ）に受信した位置検出応答を送出する。
【００９７】
ステップ７０９：ホーム・ドメイン位置検出サーバ（Ｈ−ＬＳ）は受信した位置検出応答をクライアントに送出する。
【００９８】
ステップ７１０：訪問先ドメイン位置検出サーバ（Ｈ−ＬＳ）は、位置検出要求に課金するようにアカウンティング・サーバに要求するために、ホーム・ドメイン・アカウンティング・サーバにアカウンティング更新メッセージを送信する。
【００９９】
ステップ７０３でホーム・ドメイン位置検出サーバ（Ｈ−ＬＳ）によって送信された位置検出要求が周期的な位置検出を要求するものであれば、ホーム・ドメイン位置検出サーバ（Ｈ−ＬＳ）によって送信される位置検出終了メッセージを受信するまで、要求メッセージの位置検出周期情報にしたがって、ステップ７０６〜７０９を訪問先ドメイン位置検出コントローラ（Ｖ−ＬＣ）は繰り返す。
【０１００】
本発明の位置検出サービスを実現する方法の他の実施形態のプロセスを図８に示す。この実施形態は、ホーム・ドメインＡＡＡ（Ｈ−ＡＡＡ）サーバによってホーム・ドメイン位置検出サーバ（Ｈ−ＬＳ）と訪問先ドメイン位置検出サーバ（Ｖ−ＬＳ）との間を位置検出要求と位置検出応答とが伝送され、ホーム・ドメイン位置検出サーバ（Ｈ−ＬＳ）がホーム・ドメイン・アカウンティング・サーバからアカウンティング更新を要求するプロセスを示す。
【０１０１】
ステップ８０１：クライアントはホーム・ドメイン位置検出サーバ（Ｈ−ＬＳ）に位置検出要求を送信する。要求は、検出されるべき端末の識別および（水平方向精度、垂直方向精度、位置検出遅れなどについて）位置検出に要求されるＱｏＳ（サービス品質）値を含んでもよい。周期的位置検出が要求された場合、位置検出要求はさらに位置検出周期を含んでもよい。
【０１０２】
ステップ８０２：ホーム・ドメイン位置検出サーバ（Ｈ−ＬＳ）はホーム・ドメインＡＡＡ（Ｈ−ＡＡＡ）サーバによって位置検出要求を認証する。認証は、クライアント、ロケーション・ベース・サービス（ＬＢＳ）のサーバ、端末の認証および認可のプロセスを含む。認証に成功した場合、ステップ８０３を実行し、認証に失敗した場合、位置検出応答をクライアントに戻す。
【０１０３】
ステップ８０３：訪問先ドメイン位置検出サーバ（Ｈ−ＬＳ）はクライアントによって送信された位置検出要求をホーム・ドメインＡＡＡ（Ｈ−ＡＡＡ）サーバに送出する。
【０１０４】
ステップ８０４：訪問先ドメインＡＡＡ（Ｈ−ＡＡＡ）サーバは訪問先ドメイン位置検出サーバ（Ｈ−ＬＳ）によって送信された位置検出要求を訪問先ドメインＡＡＡ（Ｖ−ＡＡＡ）サーバに送出する。
【０１０５】
ステップ８０５：訪問先ドメインＡＡＡ（Ｖ−ＡＡＡ）サーバは位置検出要求をローカルに認証する。クライアント、ローカル・ポリシー、もしくは、ネットワークの状態にしたがって、認証がなされてもよい。認証に成功した場合、ステップ８０６を実行し、認証に失敗した場合、ホーム・ドメイン位置検出サーバ（Ｈ−ＬＳ）によって位置検出失敗応答がクライアントに送出される。
【０１０６】
ステップ８０６：訪問先ドメインＡＡＡ（Ｖ−ＡＡＡ）サーバは、ホーム・ドメイン位置検出サーバ（Ｈ−ＬＳ）によって送信された位置検出要求を訪問先ドメイン位置検出サーバ（Ｖ−ＬＳ）に送出する。
【０１０７】
ステップ８０７：訪問先ドメイン位置検出サーバ（Ｖ−ＬＳ）は位置検出測定を実行し、位置検出測定情報を取得するように、ネットワークを動作させるために、訪問先ドメイン位置検出コントローラ（Ｖ−ＬＣ）に位置検出要求を送信する。
【０１０８】
位置検出コントローラ（ＬＣ）に位置検出要求を送信することは２つのモードを含む：
訪問先ドメイン位置検出サーバ（Ｖ−ＬＳ）は認証手段によって訪問先ドメイン位置検出コントローラ（Ｖ−ＬＣ）のアドレスを取得し、該アドレスにしたがって、位置検出要求を訪問先ドメイン位置検出コントローラ（Ｖ−ＬＣ）に直接送信する。もしくは、
位置検出サーバ（ＬＳ）は訪問先ドメインＡＡＡ（Ｖ−ＡＡＡ）サーバおよび認証手段によって位置検出要求を訪問先ドメイン位置検出コントローラ（Ｖ−ＬＣ）に送出する。ステップ８０５のローカル認証およびステップ８０６、ステップ８０７の位置検出要求の送出は一つのステップに結合され、実行されてもよい。
【０１０９】
ステップ８０８：訪問先ドメイン位置検出サーバ（Ｖ−ＬＳ）は、取得した位置検出測定情報にしたがって、位置検出結果を取得するために計算し、位置検出結果を含む位置検出応答を訪問先ドメインＡＡＡ（Ｖ−ＡＡＡ）サーバに送信する。
【０１１０】
ステップ８０９：訪問先ドメインＡＡＡ（Ｖ−ＡＡＡ）サーバはホーム・ドメインＡＡＡ（Ｈ−ＡＡＡ）サーバに受信した位置検出応答を送出する。
【０１１１】
ステップ８１０：ホーム・ドメインＡＡＡ（Ｈ−ＡＡＡ）サーバはホーム・ドメイン位置検出サーバ（Ｈ−ＬＳ）に受信した位置検出応答を送出する。
【０１１２】
ステップ８１１：ホーム・ドメイン位置検出サーバ（Ｈ−ＬＳ）は受信した位置検出応答をクライアントに送出する。
【０１１３】
ステップ８１２：ホーム・ドメイン位置検出サーバ（Ｈ−ＬＳ）は、位置検出要求に課金するように、アカウンティング・サーバに要求するために、ホーム・ドメイン・アカウンティング・サーバにアカウンティング更新メッセージを送信する。
【０１１４】
ステップ８０３でホーム・ドメイン位置検出サーバ（Ｈ−ＬＳ）によって送信される位置検出要求が周期的な位置検出を要求するものであれば、訪問先ドメイン位置検出コントローラ（Ｖ−ＬＣ）は、ホーム・ドメイン位置検出サーバ（Ｈ−ＬＳ）によって送信される位置検出終了メッセージを受信するまで、要求メッセージの位置検出周期情報にしたがってステップ８０７〜８１１を繰り返す。
【０１１５】
本発明は、本発明の位置検出サービスを実現する方法の実施形態に対応する位置検出サービスを実現するシステムの実施形態も提供する。
【０１１６】
本発明の実施形態による位置検出サービスを実現するシステムのブロック図を図９に示す。システムはユーザ端末が属するホーム・ドメイン・コネクティビティ・サービス・ネットワーク（Ｈ−ＣＳＮ）９２０、ユーザ端末がローミングする訪問先ドメイン・コネクティビティ・サービス・ネットワーク（Ｖ−ＣＳＮ）９３０，および、訪問先ドメイン・アクセス・サービス・ネットワーク（Ｖ−ＡＳＮ）９４０を含む。
【０１１７】
ホーム・ドメイン・コネクティビティ・サービス・ネットワーク（Ｈ−ＣＳＮ）９２０はクライアントによって送信される位置検出要求を受信するために構成されており、位置検出要求の認証が成功した場合、訪問先ドメイン・コネクティビティ・サービス・ネットワーク（Ｖ−ＣＳＮ）９３０に位置検出要求を送信し、訪問先ドメイン・コネクティビティ・サービス・ネットワーク（Ｖ−ＣＳＮ）９３０によって戻された位置検出結果を受信し、位置検出要求にしたがって取得された位置検出結果をクライアントに送信する。訪問先ドメイン・コネクティビティ・サービス・ネットワーク（Ｖ−ＣＳＮ）９３０は訪問先ドメイン・アクセス・サービス・ネットワーク（Ｖ−ＡＳＮ）９４０に位置検出要求を送信するために構成されており、訪問先ドメイン・アクセス・サービス・ネットワーク（Ｖ−ＡＳＮ）９４０によって戻された位置検出結果を受信する。訪問先ドメイン・アクセス・サービス・ネットワーク９４０は、訪問先ドメイン・コネクティビティ・サービス・ネットワーク９３０によって送信された位置検出要求にしたがって位置検出測定を起動した後、位置検出結果を取得し、該位置検出結果を訪問先ドメイン・コネクティビティ・サービス・ネットワーク９３０に送信するように構成されている。
【０１１８】
本発明の位置検出サービスを実現する方法およびシステムの実施形態に対応するコネクティビティ・サービス・ネットワーク（ＣＳＮ）の実施形態も本発明は提供する。
【０１１９】
本発明の実施形態によるコネクティビティ・サービス・ネットワークのブロック図を図１０に示す。コネクティビティ・サービス・ネットワークはユーザ端末が属するホーム・ドメイン・コネクティビティ・サービス・ネットワークであり、第一の受信手段１０１０、認証手段１０２０、第一の送信手段１０３０、第二の受信手段１０４０、第二の送信手段１０５０を備える。
【０１２０】
第一の受信手段１０１０はクライアントによって送信された位置検出要求を受信するように構成されている。認証手段１０２０は位置検出要求を認証するように構成されている。第一の送信手段１０３０は認証が成功した場合、訪問先ドメイン・コネクティビティ・サービス・ネットワーク（Ｖ−ＣＳＮ）に位置検出要求を送信するために構成されている。第二の受信手段１０４０は訪問先ドメイン・コネクティビティ・サービス・ネットワーク（Ｖ−ＣＳＮ）によって戻された位置検出結果を受信するために構成されている。訪問先ドメイン・コネクティビティ・サービス・ネットワーク（Ｖ−ＣＳＮ）によって送信された位置検出要求にしたがって動作する位置検出結果から訪問先ドメイン・アクセス・サービス・ネットワーク（Ｖ−ＡＳＮ）によって取得される情報が位置検出結果である。第二の送信手段１０５０はクライアントに位置検出結果を送信するために構成されている。
【０１２１】
本発明の他の実施形態によるコネクティビティ・サービス・ネットワーク（ＣＳＮ）のブロック図を図１１に示す。コネクティビティ・サービス・ネットワーク（ＣＳＮ）はユーザ端末が属するホーム・ドメイン・コネクティビティ・サービス・ネットワーク（Ｈ−ＣＳＮ）であり、取得手段１１１０、第一の受信手段１１２０、判断手段１１３０、認証手段１１４０、第一の送信手段１１５０、第二の受信手段１１６０、第二の送信手段１１７０、アカウンティング手段１１８０を備える。
【０１２２】
取得手段１１１０は、ユーザ端末が訪問先ドメイン・アクセス・サービス・ネットワーク（Ｖ−ＡＳＮ）にアクセスすると、もしくは、訪問先ドメイン・アクセス・サービス・ネットワーク（Ｖ−ＡＳＮ）が動作すると、位置検出機能情報を取得するように構成されている。位置検出機能情報はユーザ端末の位置検出機能、訪問先ドメイン・アクセス・サービス・ネットワーク（Ｖ−ＡＳＮ）の位置検出機能、および、訪問先ドメイン・コネクティビティ・サービス・ネットワーク（Ｖ−ＣＳＮ）の位置検出機能の少なくとも一つを含む。第一の受信手段１１２０はクライアントによって送信された位置検出要求を受信するように構成されている。判断手段１１３０は、位置検出機能情報にしたがって、位置検出要求が満足されるか否かを判断し、位置検出要求が満足される場合、位置検出要求を認証するために認証手段１１４０を動作させ、位置検出要求が満足されない場合、位置検出失敗を戻す。認証手段１１４０は位置検出要求を認証するように構成されている。第一の送信手段１１５０は、認証が成功した後、訪問先ドメイン・コネクティビティ・サービス・ネットワーク（Ｖ−ＣＳＮ）に位置検出要求を送信するように構成されている。第二の受信手段１１６０は、訪問先ドメイン・コネクティビティ・サービス・ネットワーク（Ｖ−ＣＳＮ）によって戻された位置検出結果を受信するように構成されている。位置検出結果は、訪問先ドメイン・コネクティビティ・サービス・ネットワーク（Ｖ−ＣＳＮ）によって送信された位置検出要求にしたがって動作させられた位置検出測定から訪問先ドメイン・アクセス・サービス・ネットワーク（Ｖ−ＡＳＮ）によって取得された情報である。第二の送信手段１１７０はクライアントに位置検出結果を送信するように構成されている。アカウンティグ手段１１８０は受信したアカウンティング更新要求にしたがって、位置検出要求に課金するように構成されている。
【０１２３】
さらに具体的には、第一の受信手段１１２０によって受信された位置検出要求が周期的な位置検出を要求するものであれば、第二の受信手段１１６０は位置検出要求の周期にしたがって、訪問先ドメイン・コネクティビティ・サービス・ネットワーク（Ｖ−ＣＳＮ）によって戻される位置検出結果を受信するように構成される。位置検出結果は、訪問先ドメイン・アクセス・サービス・ネットワーク（Ｖ−ＡＳＮ）が周期的な位置検出結果を受信した後、周期にしたがって位置検出測定を実行することによって取得される情報である。コネクティビティ・サービス・ネットワーク（ＣＳＮ）は訪問先ドメイン・コネクティビティ・サービス・ネットワーク（Ｖ−ＣＳＮ）へ位置検出終了要求を送信するように構成されている終了手段も含む。位置検出終了要求は、訪問先ドメイン・コネクティビティ・サービス・ネットワーク（Ｖ−ＣＳＮ）によって送出された位置検出終了要求を訪問先ドメイン・アクセス・サービス・ネットワーク（Ｖ−ＡＳＮ）が受信した後、位置検出測定を終了するために、訪問先ドメイン・アクセス・サービス・ネットワーク（Ｖ−ＡＳＮ）に使用される。
【０１２４】
本発明の他の実施形態によるコネクティビティ・サービス・ネットワーク（ＣＳＮ）のブロック図を図１２に示す。コネクティビティ・サービス・ネットワーク（ＣＳＮ）はユーザ端末がローミングする訪問先ドメイン・コネクティビティ・サービス・ネットワーク（Ｖ−ＣＳＮ）であり、第一の受信手段１２１０、第一の送信手段１２２０、第二の受信手段１２３０、第二の送信手段１２４０を含む。
【０１２５】
第一の受信手段１２１０はホーム・ドメイン・コネクティビティ・サービス・ネットワーク（Ｈ−ＣＳＮ）によって送信された位置検出要求を受信するように構成されている。第一の送信手段１２２０は訪問先ドメイン・アクセス・サービス・ネットワーク（Ｖ−ＡＳＮ）に位置検出要求を送信するように構成されている。第二の受信手段１２３０は、訪問先ドメイン・アクセス・サービス・ネットワーク（Ｖ−ＡＳＮ）によって戻された位置検出結果を受信するように構成されている。位置検出結果は、位置検出要求にしたがって動作させられる位置検出測定から訪問先ドメイン・アクセス・サービス・ネットワーク（Ｖ−ＡＳＮ）によって取得される情報である。第二の送信手段１２４０はホーム・ドメイン・コネクティビティ・サービス・ネットワーク（Ｈ−ＣＳＮ）に位置検出結果を送信するように構成されている。
【０１２６】
本発明の他の実施形態によるコネクティビティ・サービス・ネットワーク（ＣＳＮ）のブロック図を図１３に示す。コネクティビティ・サービス・ネットワーク（ＣＳＮ）はユーザ端末がローミングする訪問先ドメイン・コネクティビティ・サービス・ネットワーク（Ｖ−ＣＳＮ）であり、第一の受信手段１３１０、第一の送信手段１３２０、認証手段１３３０、第二の受信手段１３４０、第二の送信手段１３５０を含む。
【０１２７】
第一の受信手段１３１０はホーム・ドメイン・コネクティビティ・サービス・ネットワーク（Ｈ−ＣＳＮ）によって送信された位置検出要求を受信するように構成されている。第一の送信手段１３２０は訪問先ドメイン・アクセス・サービス・ネットワーク（Ｖ−ＡＳＮ）に位置検出要求を送信するように構成されている。認証手段１３３０は位置検出要求をローカルに認証するように構成されている。第二の受信手段１３４０は、訪問先ドメイン・アクセス・サービス・ネットワーク（Ｖ−ＡＳＮ）によって戻された位置検出結果を受信するように構成されている。位置検出結果は位置検出要求にしたがって動作させられる位置検出測定から訪問先ドメイン・アクセス・サービス・ネットワーク（Ｖ−ＡＳＮ）によって取得される情報である。第二の送信手段１３５０はホーム・ドメイン・コネクティビティ・サービス・ネットワーク（Ｈ−ＣＳＮ）に位置検出結果を送信するように構成されている。
【０１２８】
第一の送信手段１３２０は識別取得手段１３２１および要求送信手段１３２２を含む。識別取得手段１３２１は、訪問先ドメイン・アクセス・サービス・ネットワーク（Ｖ−ＡＳＮ）の認証手段から訪問先ドメイン位置検出サーバ（Ｖ−ＬＳ）によって訪問先ドメイン・アクセス・サービス・ネットワーク（Ｖ−ＡＳＮ）の訪問先ドメイン位置検出コントローラ（Ｖ−ＬＣ）の識別を取得するように構成されている。要求送信手段１３２２は訪問先ドメイン位置検出コントローラ（Ｖ−ＬＣ）の識別にしたがって、訪問先ドメイン位置検出コントローラ（Ｖ−ＬＣ）に位置検出要求を送信するように構成されている。
【０１２９】
本発明の実施形態を実行することによって、ホーム・ドメイン・ネットワークから訪問先ドメイン・ネットワークへユーザ端末がローミングする場合、位置検出要求を受信した後、ホーム・ドメイン・コネクティビティ・サービス・ネットワーク（Ｈ−ＣＳＮ）は訪問先ドメイン・コネクティビティ・サービス・ネットワーク（Ｖ−ＣＳＮ）と相互に通信し、訪問先ドメイン・アクセス・サービス・ネットワーク（Ｖ−ＡＳＮ）を介して訪問先ドメイン・コネクティビティ・サービス・ネットワーク（Ｖ−ＣＳＮ）によって動作させられる位置検出制御をとおして位置検出結果を取得する。これによって、ホーム・ドメイン・ネットワークからユーザ端末の位置を検出することができ、ユーザ端末がローミングしている場合、ホーム・ドメイン・ネットワークの位置検出サービスの適用を拡大することができる。
【０１３０】
当業者であれば、本発明の実施形態の方法のステップのすべてもしくは部分が関連するハードウェアを動作させるプログラムによって実行されてよいことを理解するだろう。プログラムはコンピュータ可読記憶媒体に記憶されてもよい。プログラムの実行は、クライアントによって受信された位置検出要求をホーム・ドメイン・コネクティビティ・サービス・ネットワーク（Ｈ−ＣＳＮ）によって受信し、位置検出要求の認証が成功した後、訪問先ドメイン・コネクティビティ・サービス・ネットワーク（Ｖ−ＣＳＮ）に位置検出要求を送信し、訪問先ドメイン・コネクティビティ・サービス・ネットワーク（Ｖ−ＣＳＮ）によって戻された位置検出結果を受信し、クライアントに位置検出結果を送信することを含む。位置検出結果は、訪問先ドメイン・コネクティビティ・サービス・ネットワーク（Ｖ−ＣＳＮ）が訪問先ドメイン・アクセス・サービス・ネットワーク（Ｖ−ＡＳＮ）に位置検出要求を送信した後、訪問先ドメイン・アクセス・サービス・ネットワーク（Ｖ−ＡＳＮ）を動作させることによって位置検出測定から取得される情報である。
【０１３１】
記憶媒体は磁気ディスク、コンパクト・ディスク・リード・オンリー・メモリ（ＣＤ−ＲＯＭ）、リード・オンリー・メモリ（ＲＯＭ）もしくはランダム・アクセス・メモリ（ＲＡＭ）であってよい。
【０１３２】
本発明はいくつかの例示的な実施形態によって記述されたが、本発明はこれらの実施形態によって限定されるものではない。当業者であれば、本発明の思想および範囲から逸脱することなく、本発明に様々な変更を加えることができることは明らかであろう。本発明の特許請求の範囲は、これらの変更も包含することを意図する。
【０１３３】
本出願は、中国特許出願第２００８１００９５７５０．６（２００８年４月２４日出願、発明の名称「位置検出サービスを実現する方法、システムおよびコネクティビティ・サービス・ネットワーク」）を優先権主張の基礎とし、その全体を当該明細書に参考として組み込む。
【図１】
2011519212.tif 000003
【図２】
2011519212.tif 000004
【図３】
2011519212.tif 000005
【図４】
2011519212.tif 000006
【図５】
2011519212.tif 000007
【図６】
2011519212.tif 000008
【図７】
2011519212.tif 000009
【図８】
2011519212.tif 000010
【図９】
2011519212.tif 000011
【図１０】
2011519212.tif 000012
【図１１】
2011519212.tif 000013
【図１２】
2011519212.tif 000014
【図１３】
2011519212.tif 000015
【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
クライアントによって送信された位置検出要求をホーム・ドメイン・コネクティビティ・サービス・ネットワーク（Ｈ−ＣＳＮ）によって受信し、
前記位置検出要求の認証が成功した後、訪問先ドメイン・コネクティビティ・サービス・ネットワーク（Ｖ−ＣＳＮ）に該位置検出要求を送信し、
前記訪問先ドメイン・コネクティビティ・サービス・ネットワークによって戻された位置検出結果を受信し、
前記位置検出結果は、前記訪問先ドメイン・コネクティビティ・サービス・ネットワークが訪問先ドメイン・アクセス・サービス・ネットワーク（Ｖ−ＡＳＮ）に前記位置検出要求を送信した後、該訪問先ドメイン・アクセス・サービス・ネットワークを動作させることによって位置検出測定から取得される情報であり、
前記クライアントに前記位置検出結果を送信する、
位置検出サービスを実現する方法。
【請求項２】
前記訪問先ドメイン・コネクティビティ・サービス・ネットワークに前記位置検出要求を送信することは、
前記ホーム・コネクティビティ・サービス・ネットワークのホーム・ドメイン位置検出サーバ（Ｈ−ＬＳ）によって、前記訪問先ドメイン・コネクティビティ・サービス・ネットワークの機能エンティティに前記位置検出要求を送信すること、もしくは、
ホーム・ドメイン認証・認可・アカウンティング（Ｈ−ＡＡＡ）サーバをとおして、前記訪問先ドメイン・コネクティビティ・サービス・ネットワークの前記機能エンティティに、前記ホーム・ドメイン・コネクティビティ・サービス・ネットワークのホーム・ドメイン位置検出サーバによって、前記位置検出要求を送出すること、
を含み、
前記機能エンティティは訪問先ドメイン位置検出サーバ（Ｖ−ＬＳ）もしくは訪問先ドメイン認証・認可・アカウンティング（Ｖ−ＡＡＡ）サーバを含む、
請求項１に記載の方法。
【請求項３】
前記訪問先ドメイン・コネクティビティ・サービス・ネットワークによって戻される前記位置検出結果を受信することは、
前記訪問先ドメイン・コネクティビティ・サービス・ネットワークの機能エンティティによって戻された前記位置検出結果を、前記ホーム・コネクティビティ・サービス・ネットワークのホーム・ドメイン位置検出サーバによって受信すること、もしくは、
ホーム・ドメインの認証・認可・アカウンティング・サーバをとおして訪問先コネクティビティ・サービス・ネットワークの機能エンティティによって戻される前記位置検出結果をホーム・ドメイン・コネクティビティ・サービス・ネットワークのホーム・ドメイン位置検出サーバによって受信すること、
を含み、
前記機能エンティティは、訪問先ドメイン位置検出サーバもしくは訪問先ドメインの認証・認可・アカウンティング・サーバである、
請求項１または請求項２に記載の方法。
【請求項４】
前記クライアントによって送信された前記位置検出要求を前記ホーム・ドメイン・コネクティビティ・サービス・ネットワークによって受信した後、
位置検出機能情報にしたがって、前記位置検出要求が満足されるか否かを前記ホーム・ドメイン・コネクティビティ・サービスによって判断し、
前記位置検出要求が満足される場合、該位置検出要求を認証し、
前記位置検出要求が満足されない場合、前記位置検出の失敗を戻す、
ことをさらに含み、
ユーザ端末が前記訪問先ドメイン・アクセス・サービス・ネットワークにアクセスしたとき、もしくは、該訪問先ドメイン・アクセス・ネットワークが動作したとき、前記ホーム・ドメイン・コネクティビティ・サービスは前記位置検出機能情報を取得し、
前記位置検出機能情報は、前記ユーザ端末の位置検出機能、前記訪問先ドメイン・アクセス・サービス・ネットワークの位置検出機能、前記訪問先ドメイン・コネクティビティ・サービス・ネットワークの位置検出機能、の少なくとも一つを含む、
請求項１〜３のいずれか一項に記載の方法。
【請求項５】
前記訪問先ドメイン・コネクティビティ・サービス・ネットワークによって、前記訪問先ドメイン・アクセス・サービス・ネットワークに前記位置検出要求を送信することは、
前記訪問先ドメイン・アクセス・サービス・ネットワークの認証手段から前記訪問先ドメイン・アクセス・サービス・ネットワークの訪問先ドメイン位置検出コントローラ（Ｖ−ＬＣ）の識別を前記訪問先ドメイン・コネクティビティ・サービス・ネットワークの訪問先ドメイン位置検出サーバによって取得し、該訪問先ドメイン位置検出コントローラの識別にしたがって、該訪問先ドメイン位置検出コントローラに前記位置検出要求を送信すること、もしくは、
前記訪問先ドメイン・コネクティビティ・サービス・ネットワークの訪問先ドメイン認証・認可・アカウンティング・サーバおよび前記訪問先ドメイン・アクセス・サービス・ネットワークの認証手段をとおして前記訪問先位置検出コントローラに前記位置検出要求を前記訪問先ドメイン・コネクティビティ・サービス・ネットワークの位置検出サーバによって送信すること、
を含む、
請求項１〜４のいずれか一項に記載の方法。
【請求項６】
前記訪問先ドメイン・認証・認可・アカウンティング・サーバによって前記位置検出要求をローカルに認証し、
認証に成功した場合、前記訪問先ドメイン位置検出コントローラに前記位置検出要求を送信し、
認証に失敗した場合、認証失敗を戻す、
ことをさらに含む、請求項５に記載の方法。
【請求項７】
前記位置検出要求は周期的な位置検出を要求するものであり、
前記訪問先ドメイン・コネクティビティ・サービス・ネットワークによって戻された前記位置検出結果を受信することは、
前記位置検出要求の周期にしたがって、前記訪問先ドメイン・コネクティビティ・サービス・ネットワークによって戻される位置検出結果を受信すること、
を含み、
前記位置検出結果は、周期的位置検出要求を受信した後、前記周期にしたがって位置検出測定を実行することによって、前記訪問先ドメイン・アクセス・サービス・ネットワークによって取得される情報であり、
前記訪問先ドメイン・コネクティビティ・サービス・ネットワークに位置検出終了要求を送信する、
ことをさらに含み、
前記位置検出終了要求は、前記訪問先ドメイン・コネクティビティ・サービス・ネットワークによって送出された位置検出終了要求を前記訪問先ドメイン・アクセス・サービス・ネットワークが受信した後、前記位置検出測定を終了するために、前記訪問先ドメイン・アクセス・サービス・ネットワークに使用される、
請求項１〜６のいずれか一項に記載の方法。
【請求項８】
受信したアカウンティング更新要求にしたがって、前記位置検出要求に課金すること、をさらに含む、請求項１〜７のいずれか一項に記載の方法。
【請求項９】
ホーム・ドメイン・コネクティビティ・サービス・ネットワーク（Ｈ−ＣＳＮ）、訪問先ドメイン・コネクティビティ・サービス・ネットワーク（Ｖ−ＣＳＮ）、訪問先ドメイン・アクセス・サービス・ネットワーク（Ｖ−ＡＳＮ）を含む、位置検出サービスを実現するシステムであって、
ホーム・ドメイン・コネクティビティ・サービス・ネットワークは、クライアントによって送信された位置検出要求を受信し、位置検出要求の認証が成功した後に訪問先ドメイン・コネクティビティ・サービス・ネットワークに位置検出要求を送信し、訪問先ドメイン・コネクティビティ・サービス・ネットワークによって戻された位置検出要求を受信し、該クライアントに該位置検出結果を送信するように構成されており、
前記訪問先ドメイン・コネクティビティ・サービス・ネットワークは、訪問先ドメイン・アクセス・サービス・ネットワークに前記位置検出要求を送信し、前記訪問先ドメイン・アクセス・サービス・ネットワークによって戻される位置検出結果を受信するように構成されており、
前記訪問先ドメイン・アクセス・サービス・ネットワークは、前記訪問先ドメイン・コネクティビティ・サービス・ネットワークによって送信される位置検出要求にしたがって位置検出測定を動作させた後、位置検出結果を取得し、前記訪問先ドメイン・コネクティビティ・サービス・ネットワークに該位置検出結果を送信するように構成されている、
システム。
【請求項１０】
ユーザ端末が属するホーム・ドメイン・コネクティビティ・サービス・ネットワーク（Ｈ−ＣＳＮ）であるコネクティビティ・サービス・ネットワーク（ＣＳＮ）であって、
クライアントによって送信される位置検出要求を受信するように構成されている第一の受信手段と、
前記位置検出要求を認証するように構成されている認証手段と、
前記認証が成功した後、訪問先ドメイン・コネクティビティ・サービス・ネットワーク（Ｖ−ＣＳＮ）に位置検出要求を送信するように構成されている第一の送信手段と、
前記訪問先ドメイン・コネクティビティ・サービス・ネットワークによって戻された位置検出結果を受信するように構成されている第二の受信手段と、
前記クライアントに前記位置検出結果を送信するように構成されている第二の送信手段と、
を備え、
前記位置検出結果は、前記訪問先ドメイン・アクセス・サービス・ネットワークに訪問先ドメイン・コネクティビティ・サービス・ネットワークが位置検出要求を送信した後、訪問先ドメイン・アクセス・サービス・ネットワーク（Ｖ−ＡＳＮ）を動作させることによって位置検出測定から取得される情報である、
コネクティビティ・サービス・ネットワーク。
【請求項１１】
前記第一の受信手段によって受信された前記位置検出要求は周期的な位置検出を要求するものであり、
前記第二の受信手段は、前記位置検出要求の周期にしたがって、前記訪問先ドメイン・コネクティビティ・サービス・ネットワークによって戻された前記位置検出結果を受信するように構成されており、
前記位置検出結果は、周期的位置検出要求を受信した後、前記周期にしたがって、位置検出測定を実行することにより、訪問先ドメイン・アクセス・サービス・ネットワークによって取得される情報であり、
前記訪問先ドメイン・コネクティビティ・サービス・ネットワークに位置検出終了要求を送信するように構成されている終了手段をさらに備え、
前記位置検出終了要求は、前記訪問先ドメイン・アクセス・サービス・ネットワークが、前記訪問先ドメイン・コネクティビティ・サービス・ネットワークによって送出された位置検出終了要求を受信した後、位置検出測定を終了するために、前記訪問先ドメイン・アクセス・サービス・ネットワークに使用される、
請求項１０に記載のコネクティビティ・サービス・ネットワーク。
【請求項１２】
前記ユーザ端末が訪問先ドメイン・アクセス・サービス・ネットワークにアクセスしたとき、もしくは、訪問先ドメイン・アクセス・サービス・ネットワークが動作したとき、位置検出機能情報を取得するように構成されている取得手段と、
前記位置検出機能情報にしたがって、前記位置検出要求が満足されるか否か判断し、該位置検出要求が満足される場合、該位置検出要求を認証するために前記認証手段を動作させ、該位置検出要求が満足されない場合、該位置検出の失敗を戻す、ように構成されている判断手段と、
を備え、
前記位置検出機能情報は、前記ユーザ端末の位置検出機能、前記訪問先ドメイン・アクセス・サービス・ネットワークの位置検出機能、および、前記訪問先ドメイン・コネクティビティ・サービス・ネットワークの位置検出機能の少なくとも一つを含む、
請求項１０または請求項１１に記載のコネクティビティ・サービス・ネットワーク。
【請求項１３】
受信したアカウンティング更新要求にしたがって前記位置検出要求に課金するように構成されているアカウンティング手段、をさらに含む、請求項１０〜１２のいずれか一項に記載のコネクティビティ・サービス・ネットワーク。
【請求項１４】
ユーザ端末がローミングする訪問先ドメイン・コネクティビティ・サービス・ネットワーク（Ｖ−ＣＳＮ）であるコネクティビティ・サービス・ネットワーク（ＣＳＮ）であって、
ホーム・ドメイン・コネクティビティ・サービス・ネットワーク（Ｈ−ＣＳＮ）によって送信される位置検出要求を受信するように構成されている第一の受信手段と、
訪問先ドメイン・アクセス・サービス・ネットワーク（Ｖ−ＡＳＮ）に前記位置検出要求を送信するように構成されている第一の送信手段と、
前記訪問先ドメイン・アクセス・サービス・ネットワークによって戻される位置検出結果を受信するように構成されている第二の受信手段と、
前記ホーム・ドメイン・コネクティビティ・サービス・ネットワークに前記位置検出結果を送信するように構成されている第二の送信手段と、
を備え、
前記位置検出結果は、前記位置検出要求にしたがって、訪問先ドメイン・アクセス・サービス・ネットワークが位置検出測定を動作させた後、取得される情報である、
コネクティビティ・サービス・ネットワーク。
【請求項１５】
前記第一の送信手段は、
前記訪問先ドメイン・アクセス・サービス・ネットワークの認証手段から前記訪問先ドメイン・アクセス・サービス・ネットワークの訪問先ドメイン位置検出コントローラ（Ｖ−ＬＣ）の識別を、訪問先ドメイン位置検出サーバ（Ｖ−ＬＳ）をとおして取得するように構成されている識別取得手段と、
前記訪問先ドメイン位置検出コントローラの識別にしたがって、訪問先ドメイン位置検出コントローラに前記位置検出要求を送信するように構成されている要求送信手段と、
を備える、
請求項１４に記載のコネクティビティ・サービス・ネットワーク。
【請求項１６】
前記位置検出要求をローカルに認証し、認証に成功した場合、その機能を実行するために前記要求送信手段を動作させ、認証に失敗した場合、認証の失敗を戻す、ように構成されている認証手段、をさらに備える、請求項１４または請求項１５に記載のコネクティビティ・サービス・ネットワーク。
【国際調査報告】
2011519212.tif 000016
2011519212.tif 000017
2011519212.tif 000018
2011519212.tif 000019